(57)【要約】【課題】  端末に割り当てるべき通信容量を考慮しながら、システム全体の通信容量を増加させるように、その端末の接続先のセルを決定すること。【解決手段】  通信制御装置は、第１の周波数帯域を用いる第１の基地局装置と第２の周波数帯域を用いる第２の基地局装置とに対して、複数の端末のそれぞれが、いずれとの間で通信を行うかを決定する。通信制御装置は、複数の端末のそれぞれが要求する第１の通信容量の情報を取得し、複数の端末のそれぞれの、第１のセルにおける第２の通信容量と、第２のセルにおける第３の通信容量とを算出する。そして、通信制御装置は、第１の基地局装置と接続する端末については第１の通信容量と第２の通信容量のうちの小さい方の値を、第２の基地局装置に接続する端末については第１の通信容量と第３の通信容量のうちの小さい方の値を、複数の端末のそれぞれについて達成される容量とし、その総和に基づいて、接続先の基地局装置を決定する。【選択図】  図２
2015222929.tif 000002
【特許請求の範囲】
【請求項１】
第１の周波数帯域を用いる第１のセルと第２の周波数帯域を用いる第２のセルとが、重複するカバレッジエリアを有するように配置されるセル構成において、前記第１のセルを供する第１の基地局装置と前記第２のセルを供する第２の基地局装置とに対して、複数の端末のそれぞれが、いずれの基地局装置との間で通信を行うかを決定する通信制御装置であって、
前記複数の端末のそれぞれが要求する第１の通信容量の情報を取得する取得手段と、
前記複数の端末のそれぞれの、前記第１のセルにおける第２の通信容量と、前記第２のセルにおける第３の通信容量とを算出する算出手段と、
前記第１の基地局装置と接続する端末については前記第１の通信容量と前記第２の通信容量のうちの小さい方の値を、前記第２の基地局装置に接続する端末については前記第１の通信容量と前記第３の通信容量のうちの小さい方の値を、前記複数の端末のそれぞれについて達成される容量とした場合の、当該達成される容量の総和に基づいて、当該複数の端末のそれぞれが、前記第１の基地局装置と前記第２の基地局装置とのうちの、いずれとの間で通信を行うかを決定する決定手段と、
を有することを特徴とする通信制御装置。
【請求項２】
前記決定手段は、前記総和が最大となるように、当該複数の端末のそれぞれが、前記第１の基地局装置と前記第２の基地局装置とのうちの、いずれとの間で通信を行うかを決定する、
ことを特徴とする請求項１に記載の通信制御装置。
【請求項３】
前記決定手段は、前記総和が所定値以上となるように、当該複数の端末のそれぞれが、前記第１の基地局装置と前記第２の基地局装置とのうちの、いずれとの間で通信を行うかを決定する、
ことを特徴とする請求項１に記載の通信制御装置。
【請求項４】
前記算出手段は、前記第１の基地局装置に接続される端末と当該第１の基地局装置との間の単位帯域幅に対する通信容量に、当該第１の基地局装置が使用できる帯域幅を当該第１の基地局装置に接続される端末の数で除算した結果を乗じた値として、前記第２の通信容量を算出する、
ことを特徴とする請求項１から３のいずれか１項に記載の通信制御装置。
【請求項５】
前記算出手段は、前記第２の基地局装置に接続される端末と当該第２の基地局装置との間の単位帯域幅に対する通信容量に、当該第２の基地局装置が使用できる帯域幅を当該第２の基地局装置に接続される端末の数で除算した結果を乗じた値として、前記第３の通信容量を算出する、
ことを特徴とする請求項１から４のいずれか１項に記載の通信制御装置。
【請求項６】
前記第１のセルはカバレッジエリアの広いセルであり、当該第１のセルの中に、複数の前記第２のセルが含まれる、
ことを特徴とする請求項１から５のいずれか１項に記載の通信制御装置。
【請求項７】
前記算出手段は、前記複数の端末のそれぞれに対して、複数の前記第２の基地局装置のうちの、単位帯域幅に対する通信容量が最大となる１つの第２の基地局装置について、前記第３の通信容量を算出する、
ことを特徴とする請求項６に記載の通信制御装置。
【請求項８】
前記算出手段は、前記複数の端末の少なくともいずれかの端末が複数の前記第１の基地局装置に接続しうる場合は、その複数の前記第１の基地局装置のうちの、単位帯域幅に対する通信容量が最大となる１つの第１の基地局装置について、前記第２の通信容量を算出する、
ことを特徴とする請求項７に記載の通信制御装置。
【請求項９】
前記取得手段は、前記複数の端末の少なくとも１つの端末に対して、当該少なくとも１つの端末に宛てて送信されるべきデータの量に基づいて、前記第１の通信容量を取得する、
ことを特徴とする請求項１から８のいずれか１項に記載の通信制御装置。
【請求項１０】
前記取得手段は、前記複数の端末の少なくとも１つの端末に対して、当該少なくとも１つの端末が実行しているアプリケーションに基づいて、前記第１の通信容量を取得する、
ことを特徴とする請求項１から９のいずれか１項に記載の通信制御装置。
【請求項１１】
前記第１のセルと前記第２のセルとにおける無線リソースの使用率に基づいて、前記決定を行うか否かを判定する判定手段をさらに有する、
ことを特徴とする請求項１から１０のいずれか１項に記載の通信制御装置。
【請求項１２】
前記判定手段は、前記使用率の偏りの大きさが所定の大きさを超える場合に、前記決定を行うと判定する、
ことを特徴とする請求項１１に記載の通信制御装置。
【請求項１３】
前記複数の端末の少なくともいずれかと接続できる基地局装置が追加または除去されたことに応じて、前記決定を行うと判定する判定手段をさらに有する、
ことを特徴とする請求項１から１０のいずれか１項に記載の通信制御装置。
【請求項１４】
前記第１の基地局装置および前記第２の基地局装置は、無線周波数部分の処理を行う装置であると共に、当該第１の基地局装置および当該第２の基地局装置のベースバンドの処理を共通して実行する、前記通信制御装置を含む装置に接続される、
ことを特徴とする請求項１から１３のいずれか１項に記載の通信制御装置。
【請求項１５】
前記通信制御装置は、前記第１の基地局装置と前記第２の基地局装置とのいずれかに含まれる、
ことを特徴とする請求項１から１３のいずれか１項に記載の通信制御装置。
【請求項１６】
請求項１から１３のいずれか１項に記載の通信制御装置を含むことを特徴とするネットワークノード。
【請求項１７】
第１の周波数帯域を用いる第１のセルと第２の周波数帯域を用いる第２のセルとが、重複するカバレッジエリアを有するように配置されるセル構成において、前記第１のセルを供する第１の基地局装置と前記第２のセルを供する第２の基地局装置とに対して、複数の端末のそれぞれが、いずれの基地局装置との間で通信を行うかを決定する通信制御装置の制御方法であって、
取得手段が、前記複数の端末のそれぞれが要求する第１の通信容量の情報を取得する取得工程と、
算出手段が、前記複数の端末のそれぞれの、前記第１のセルにおける第２の通信容量と、前記第２のセルにおける第３の通信容量とを算出する算出工程と、
決定手段が、前記第１の基地局装置と接続する端末については前記第１の通信容量と前記第２の通信容量のうちの小さい方の値を、前記第２の基地局装置に接続する端末については前記第１の通信容量と前記第３の通信容量のうちの小さい方の値を、前記複数の端末のそれぞれについて達成される容量とした場合の、当該達成される容量の総和に基づいて、当該複数の端末のそれぞれが、前記第１の基地局装置と前記第２の基地局装置とのうちの、いずれとの間で通信を行うかを決定する決定工程と、
を有することを特徴とする制御方法。
【請求項１８】
第１の周波数帯域を用いる第１のセルと第２の周波数帯域を用いる第２のセルとが、重複するカバレッジエリアを有するように配置されるセル構成において、前記第１のセルを供する第１の基地局装置と前記第２のセルを供する第２の基地局装置とに対して、複数の端末のそれぞれが、いずれの基地局装置との間で通信を行うかを決定する通信制御装置に備えられたコンピュータに、
前記複数の端末のそれぞれが要求する第１の通信容量の情報を取得する取得工程と、
前記複数の端末のそれぞれの、前記第１のセルにおける第２の通信容量と、前記第２のセルにおける第３の通信容量とを算出する算出工程と、
前記第１の基地局装置と接続する端末については前記第１の通信容量と前記第２の通信容量のうちの小さい方の値を、前記第２の基地局装置に接続する端末については前記第１の通信容量と前記第３の通信容量のうちの小さい方の値を、前記複数の端末のそれぞれについて達成される容量とした場合の、当該達成される容量の総和に基づいて、当該複数の端末のそれぞれが、前記第１の基地局装置と前記第２の基地局装置とのうちの、いずれとの間で通信を行うかを決定する決定工程と、
を実行させるためのプログラム。
【発明の詳細な説明】
【技術分野】
【０００１】
本発明は、複数の端末の接続先の基地局装置を決定する技術に関する。
【背景技術】
【０００２】
第３世代パートナーシッププロジェクト（３ＧＰＰ）において、大セル（マクロセル）のカバレッジ内に異なる周波数帯域を使用する小セル（スモールセル）を多数設置することが議論されている（非特許文献１参照）。例えば、図１の例のように、２ＧＨｚ帯の周波数帯域を使用するマクロセルのカバレッジエリア内に、３．５ＧＨｚ帯の周波数帯域を使用するスモールセルが複数置局される。
【先行技術文献】
【非特許文献】
【０００３】
【非特許文献１】３ＧＰＰ  ＴＲ３６．８１４  Ｖ９．０．０
【発明の概要】
【発明が解決しようとする課題】
【０００４】
図１のように、マクロセルとスモールセルとが互いに異なる周波数帯域を使用することにより、これらのセル間の干渉を防ぐことができ、システム全体としての周波数利用効率を向上させることができる。しかしながら、各セルのリソースは限られているため、１つ以上の端末（ＵＥ）が、それぞれのセルを供する基地局装置のうち、いずれに接続されるべきかをＵＥの希望を考慮して適切に決定しなければ、システム全体の容量を効率的に増加させることができない。例えば、あるＵＥが望む通信容量がある場合に、これを無視して、その通信容量を満たすことができないようなセルにそのＵＥを収容させると、結果として、そのＵＥに割り当てられた通信容量は無駄となる場合がある。また、あるＵＥが望む通信容量に対して、過剰な通信容量が割り当てられても、結果としてそのＵＥは必要な量の通信容量のみを使用することとなるため、その過剰な通信容量の多くが無駄となる場合がある。
【０００５】
本発明は上記課題に鑑みなされたものであり、端末に割り当てるべき通信容量を考慮しながらシステム全体の通信容量を増加させるような、端末の接続先のセルの決定技術を提供する。
【課題を解決するための手段】
【０００６】
上記目的を達成するため、本発明による通信制御装置は、第１の周波数帯域を用いる第１のセルと第２の周波数帯域を用いる第２のセルとが、重複するカバレッジエリアを有するように配置されるセル構成において、前記第１のセルを供する第１の基地局装置と前記第２のセルを供する第２の基地局装置とに対して、複数の端末のそれぞれが、いずれの基地局装置との間で通信を行うかを決定する通信制御装置であって、前記複数の端末のそれぞれが要求する第１の通信容量の情報を取得する取得手段と、前記複数の端末のそれぞれの、前記第１のセルにおける第２の通信容量と、前記第２のセルにおける第３の通信容量とを算出する算出手段と、前記第１の基地局装置と接続する端末については前記第１の通信容量と前記第２の通信容量のうちの小さい方の値を、前記第２の基地局装置に接続する端末については前記第１の通信容量と前記第３の通信容量のうちの小さい方の値を、前記複数の端末のそれぞれについて達成される容量とした場合の、当該達成される容量の総和に基づいて、当該複数の端末のそれぞれが、前記第１の基地局装置と前記第２の基地局装置とのうちの、いずれとの間で通信を行うかを決定する決定手段と、を有する。
【発明の効果】
【０００７】
本発明によれば、端末に割り当てるべき通信容量を考慮しながら、システム全体の通信容量を増加させるように、その端末の接続先のセルを決定することができる。
【図面の簡単な説明】
【０００８】
【図１】それぞれ異なる周波数帯域を使用するマクロセルとスモールセルとの配置例を示す概念図。
【図２】通信制御装置の機能構成例を示すブロック図。
【図３】通信制御装置のハードウェア構成例を示すブロック図。
【図４】実施形態に係る処理を実行した場合としなかった場合のシステム容量のシミュレーション結果を示す図。
【発明を実施するための形態】
【０００９】
以下、添付図面を参照して本発明の実施の形態を詳細に説明する。
【００１０】
（システム構成）
本実施形態に係る無線通信システムでは、第１の周波数帯域を用いる第１のセル（マクロセル）と、第２の周波数帯域を用いる第２のセル（スモールセル、ピコセル）が重複するカバレッジエリアを有するように配置されるセル構成を有する。例えば、図１に示すように、マクロセルのカバレッジエリア内に、複数のスモールセルのカバレッジエリアが含まれるように、各セルを供する各基地局装置が配置される。また、マクロセルでは、２ＧＨｚの周波数帯域が用いられ、スモールセルでは、３．５ＧＨｚや６０ＧＨｚなどの周波数帯域が用いられる。なお、図１には示していないが、各カバレッジエリアには複数の端末が存在し、マクロセルまたはスモールセルを展開する基地局装置のいずれかとの間で接続を確立して通信を行う。また、図１には、１つのマクロセルのみが示されているが、複数のマクロセルが存在しうることは明らかである。
【００１１】
以下では、上述の無線通信システムにおいて、複数の端末のそれぞれがどの基地局装置との間で通信を行うかを決定する通信制御装置について説明する。通信制御装置は、例えば、マクロセルとスモールセルとをそれぞれ展開する基地局装置と、ネットワーク側において接続されるネットワークノードに含まれてもよいし、基地局装置に含まれてもよい。また、通信制御装置は、各セルを展開するアンテナ等の無線周波数部分の処理を行うＲＲＨ（Ｒｅｍｏｔｅ  Ｒａｄｉｏ  Ｈｅａｄ）が接続されるＢＢＵ（ＢａｓｅＢａｎｄ  Ｕｎｉｔ）内、又はＢＢＵと同じ位置に配置されてもよい。なお、ＢＢＵは、接続される複数のＲＲＨ（基地局装置）のベースバンド部分の処理を共通して実行する装置である。以下では、通信制御装置の配置に関しては特に限定しないが、各基地局装置と端末は、通信制御装置からの指示に従って、端末が決定された基地局装置と接続を確立するように制御を行う。
【００１２】
（通信制御装置の構成）
図２に、通信制御装置の機能構成例を示す。図２に示すように、通信制御装置は、例えば、端末所望容量取得部２０１、リンク容量算出部２０２、接続先決定部２０３、及び通信部２０４を有する。また、通信制御装置は、決定処理実行判定部２０５を有することもできる。
【００１３】
端末所望容量取得部２０１は、複数の端末のそれぞれについて、端末のそれぞれが要求する（と考えられる）通信容量を取得する。端末所望容量取得部２０１は、例えば、各基地局装置を介して、複数の端末から明示的に要求する通信容量を示す情報を取得する。なお、端末所望容量取得部２０１は、各端末に宛てて送信されるべきデータ量（例えばバッファに蓄積されたデータ量）に基づいて、端末のそれぞれが要求する通信容量を推定してもよい。また、端末所望容量取得部２０１は、各端末が実行しているアプリケーション（通話、Ｗｅｂブラウジング、その他の通信を伴うアプリケーション等）に基づいて、端末のそれぞれが要求する通信容量を推定してもよい。
【００１４】
リンク容量算出部２０２は、複数の端末のそれぞれが、マクロセルまたはスモールセルを展開する各基地局装置に接続されるとした場合に得られるリンク容量を算出する。ここで言うリンク容量とは、単位帯域幅に対する通信容量（例えばｂｐｓ／Ｈｚ）である。リンク容量は、例えば、セル（ｉ）及びＵＥ（ｊ）に対して、
2015222929.tif 000003
・・・（１）
によって与えられる。ここで、Λi,jはチャネル行列から算出する固有値を要素とする対角行列であり、ｇi,jはパスゲイン、Ｎはｍｉｎ(Ｍt，Ｍr)で定まるＭＩＭＯ多重数、ｎiはセル間干渉である。また、ηB及びηSは修正シャノン容量の係数をそれぞれ示し、ＩNはＮ次元の単位行列である。また、Ｅ{・}は期待値を表す。なお、各セルにおいてセル間干渉を低減するために、アンテナを用いて特定の指向性パターンで信号の送信を行う場合がある。この場合は、その指向性パターンによる影響を考慮して上述のリンク容量が算出される。なお、このリンク容量を計算するためのチャネルの状態などの各情報は、例えば通信部２０４を介して取得される。
【００１５】
接続先決定部２０３は、端末所望容量取得部２０１で取得した各端末が要求する通信容量と、リンク容量算出部２０２が算出したリンク容量に基づいて得られる、各端末が各基地局に接続された場合に得られる通信容量とに基づいて、各端末の接続先を決定する。例えば、接続先決定部２０３は、各端末が要求する通信容量と、各端末が各基地局に接続された場合に得られる通信容量との小さい方を達成される容量として、各端末についての達成される容量の総和に基づいて、各端末の接続先基地局装置を決定する。ここで、この総和は、各端末が接続され得る基地局装置のいずれかに接続されると仮定した場合の総和であり、接続先を決定する際に実際に接続されている基地局装置に関してのみ考慮されるものではないことに留意されたい。そして、その総和が最大となるように、又は所定値以上となるように、各端末の接続先の基地局装置を決定する。接続先決定部２０３の処理の詳細については後述する。
【００１６】
通信部２０４は、例えば、各基地局装置と接続され、接続先決定部２０３で決定した、各端末の接続先の情報を送信し、接続先決定のための情報を受信して取得する。なお、各基地局装置に通知された各端末の接続先の情報は、その各基地局装置から、例えば、決定された接続先の基地局装置へハンドオーバするような制御メッセージの形式で、端末に通知される。なお、通信制御装置が基地局装置の内部に含まれる場合は、通信部２０４は、例えば、他の基地局装置との間での通信と、基地局装置としての端末との無線通信とを行うように構成されうる。また、通信制御装置がＢＢＵの内部に配置される場合は、通信部２０４は、ＲＲＨを通じて、基地局装置として端末との無線通信を行い、場合によっては隣接するエリアに対応するＢＢＵとの間の通信を行うように構成されうる。すなわち、通信部２０４は、通信制御装置が配置される位置等によって通信の相手は変動しうるが、端末の接続先を決定するための情報を取得し、端末に対して（例えば基地局装置を介して）接続先の情報を伝達することができるように構成される。
【００１７】
決定処理実行判定部２０５は、複数の端末の接続先決定処理を行うか否かを判定する。決定処理実行判定部２０５は、例えば、無線通信システムにおいて、新たな基地局装置が追加された場合（電源がオンにされた等の場合）、又は基地局装置が除去された場合に、接続先決定処理を実行する、と判定する。また、決定処理実行判定部２０５は、例えば、各セルにおける無線リソース（周波数リソース）の使用率に基づいて、接続先決定処理を行うか否かを判定してもよい。この場合、例えば、各セルにおける無線リソースの使用率の分散が算出され、その分散が所定の大きさを超える場合に、接続先決定処理が行われるようにする。すなわち、無線リソースの使用率はセルごとで偏るが、その偏りが所定の大きさより大きくなる場合は、一部のセルに過剰な数の端末が収容されており、他のセルには過小な数の端末のみが収容されていると考えられる。したがって、このような場合に、接続先決定処理を行うことにより、端末の接続先の基地局装置を適度に分散させることができると考えられる。
【００１８】
以上のような通信制御装置は、例えば図３に示すようなハードウェア構成で実現されうる。通信制御装置は、一例において、図３に示すようなハードウェア構成を有し、例えば、ＣＰＵ３０１、ＲＯＭ３０２、ＲＡＭ３０３、外部記憶装置３０４、及び通信装置３０５を有する。通信制御装置では、例えばＲＯＭ３０２、ＲＡＭ３０３及び外部記憶装置３０４のいずれかに記録された、通信制御装置の各機能を実現するプログラムがＣＰＵ３０１により実行される。そして、通信制御装置は、例えばＣＰＵ３０１により通信装置３０５を制御して、基地局装置や他のネットワークノードとの間の通信を行う。なお、通信制御装置は、各機能を実行する専用のハードウェアを備えてもよいし、一部をハードウェアで実行し、プログラムを動作させるコンピュータでその他の部分を実行してもよい。また、全機能をコンピュータとプログラムにより実行させてもよい。
【００１９】
（接続先決定処理）
続いて、接続先決定部２０３が実行する接続先決定処理の例について説明する。まず、接続先決定部２０３は、複数の端末のそれぞれについて、接続先の候補となるマクロセルとスモールセルとを選択する。すなわち、１つの端末について、１つのマクロセルと１つのスモールセルとを選択する。例えば、上述のリンク容量算出部２０２の算出結果に基づき、各端末について、接続しうるマクロセルのうちの単位帯域幅に対する通信容量（リンク容量）が最大となる１つと、同様に接続しうるスモールセルのうちのリンク容量が最大となる１つが選択される。その後、各端末が選択されたマクロセルとスモールセルとのうちのいずれに接続されると、各端末の要求通信容量と、各セルにおけるユーザ数に応じて割り当てられうる帯域幅にリンク容量を乗じた値の小さい方の通信容量の総和が最大となるかを算出する。なお、接続先決定部２０３は、総和が所定値以上となるように、各端末の接続先を決定してもよい。
【００２０】
ここで、通信容量の総和は、
2015222929.tif 000004
・・・（２）
となる。ここで、ＷMはマクロセルの、ＷPはスモールセルの、それぞれ使用可能な帯域幅（Ｈｚ）を示す。なお、ＷPは、各スモールセルで異なる周波数帯域を用いる場合は、ｉの変数であるＷPi（１≦ｉ≦ＮP）で置き換えられてもよい。ＣM,uは、マクロセルについての上述のリンク容量（ｂｐｓ／Ｈｚ）であり、ＣPi,uは、ｉ番目のスモールセルについてのリンク容量である。また、|ＵM|はマクロセルに収容される端末の数であり、|ＵPi|はｉ番目のスモールセルに収容される端末の数である。なお、ＵMはマクロセルに収容される端末の集合を示し、ＵPiはｉ番目のスモールセルに収容される端末の集合を示す。そして、Ｌuは、ｕ番目の端末の要求通信容量（ｂｐｓ）である。
【００２１】
ここで、ＷM／|ＵM|は、マクロセルで使用可能な帯域幅をそのマクロセルに収容される端末の数で除算したものであり、これは、各端末に割り当て可能な帯域幅に相当する。したがって、ある端末ｕに対してマクロセルで実際に達成されうる通信容量は、（ＷM／|ＵM|）×ＣM,uとなる。すなわち、式（２）の右辺第１項では、マクロセルに収容される端末についての達成される通信容量として、実際に達成されうる通信容量と要求通信容量との小さい方が、選択的に加算されている。すなわち、要求通信容量が実際に達成されうる通信容量以下である場合は、その要求通信容量が達成され、一方で、要求通信容量が実際に達成されうる通信容量より大きい場合は、要求通信容量は達成できず、最大限割り当てられうる容量のみが割り当てられる。なお、スモールセルについては、式（２）の右辺第２項のように、ＮP個のスモールセルが存在するものとして、各セルについて、マクロセルと同様の演算が行われ、その結果が加算される。
【００２２】
接続先決定部２０３は、この式（２）で示されるＳが最大となるように、各端末ｕの接続先をマクロセルとスモールセルとから選択する。すなわち、接続先決定部２０３は、上述のＳが最大となるように、各ｕが集合ＵMとＵPi（１≦ｉ≦ＮP）のいずれに属するかを決定する。
【００２３】
ここで、どのように各端末の接続先を決定するかについて数学的な観点から説明する。上述の式（２）を線型計画問題として解くために、式（２）を、
2015222929.tif 000005
・・・（３）
のように近似する。ここで、ＵMiは、ｉ番目のスモールセルのエリアに存在し、マクロセルに接続するユーザの集合である。例えば、接続先の候補として、ｉ番目のスモールセルが選択されたユーザで、マクロセルに収容されたユーザｕが、この集合に含まれる。
【００２４】
式（３）において、各スモールセルのエリアにおける通信容量の総和Ｓiは、
2015222929.tif 000006
・・・（４）
のように変形することができる。ここで、Ｕは、ｉ番目のスモールセルのエリアに存在する端末の総数である。また、ｘuは、端末ｕがマクロセルに収容される場合は１、スモールセルに収容される場合は０となる変数である。ここで、Ｘ＝[ｘ1、…、ｘU]Tとし、ψUを要素が全て１で、要素数がＵの列ベクトルとすると、Σu=1Uｘu＝ψUTＸと表される。なお、上付きのＴは行列（ベクトル）の転置を表し、ＸψUT＝ｋ（１≦ｋ≦Ｕ−１）とする。ここで、式（４）について、右辺の中括弧で括られた２つの項の和をｆu,kと表し、第３項をａu,kとして表すと、
2015222929.tif 000007
・・・（５）
となる。
【００２５】
したがって、接続先決定部２０３は、この問題を、制約条件
2015222929.tif 000008
を満たしながら、
2015222929.tif 000009
を最大化するベクトルＸ、すなわち、Ｘ＝arg maxX（maxkνk）を求める線型計画問題として解くことができる。このとき、接続先決定部２０３は、ベクトルＸにおいて、要素ｘuが１であれば端末ｕはマクロセルに収容されるべきであり、要素ｘuが０であれば端末ｕはスモールセルに収容されるべきであることを決定する。
【００２６】
なお、上述の式は、ｉ番目のスモールセルに関するエリアに対するものである。このため、この決定処理は、各スモールセルに関するエリアについても同様に行われる。
【００２７】
上述の処理を実行した場合としなかった場合との、システム全体の通信容量の大きさをシミュレーションにより比較した結果を図４に示す。本シミュレーションでは、マクロセルにおける使用周波数帯域を２ＧＨｚとし、その帯域幅を１０ＭＨｚとした。そして、このときのアンテナ高は２５ｍとし、送信電力を４６ｄＢｍとした。また、スモールセルにおける使用周波数帯域と帯域幅は、３ＧＨｚ帯の１００ＭＨｚ帯域幅と、６０ＧＨｚ帯の２ＧＨｚ帯域幅とを用いた。なお、この時のアンテナ高は、３ＧＨｚ帯については１０ｍ、６０ＧＨｚ帯については３ｍとし、送信電力をそれぞれ３０ｄＢｍ、１０ｄＢｍとした。また、端末の平均の要求通信容量は、４．８Ｇｂｐｓとし、その分布はガンマ分布に従うものとした。
【００２８】
図４において、実線が本実施形態に係る接続先決定処理を行った場合の、そして破線は、各端末が最も受信電力が強い基地局装置に接続した場合の、それぞれシステム容量を示す。なお、各点が丸で示されたグラフは、スモールセルが３ＧＨｚ帯を用いた場合の特性であり、各点が四角で示されたグラフは、スモールセルが６０ＧＨｚ帯を用いた場合の特性である。図４から、スモールセルが使用する周波数帯域によらず、本実施形態に係る接続先決定処理を行った場合に、システム全体の通信容量が大きくなっていることが分かる。
【００２９】
このように、本実施形態に係る接続先決定処理により、各端末の要求通信容量を考慮しながら、システム全体の通信容量を十分に大きくすることが可能となる。
【図１】
2015222929.tif 000010
【図２】
2015222929.tif 000011
【図３】
2015222929.tif 000012
【図４】
2015222929.tif 000013